(57)【特許請求の範囲】
【請求項１】
インバータ式の電子安定器に接続されて交流電流を全波整流する整流回路と、
複数個の固体発光素子からなる発光体と、
前記整流回路の出力側に接続され、前記整流回路から出力される電流に含まれる交流成分を除去する平滑コンデンサと、
前記平滑コンデンサと接続されたスイッチ素子と、
前記スイッチ素子を制御するコントローラと、
前記コントローラに電圧を供給する内部電源生成手段と、を備え、
前記スイッチ素子は、前記内部電源生成手段から電圧が供給される前はノーマリーオフ状態であって、
前記コントローラは、前記内部電源生成手段から電圧が供給された後、一定時間経過後に前記平滑コンデンサが接続状態となるように前記スイッチ素子をオン状態にすることを特徴とする点灯制御装置。
【請求項２】
前記平滑コンデンサに接続された点灯回路を備え、
前記発光体は前記点灯回路の出力に接続され、
前記スイッチ素子と前記平滑コンデンサとは前記整流回路と前記点灯回路との間に接続されたことを特徴とする請求項１に記載の点灯制御装置。
【請求項３】
前記点灯回路は、前記整流回路側にソース端子が接続され、
前記発光体側にドレイン端子が接続されたＰｃｈ型トランジスタ素子と、
前記Ｐｃｈ型トランジスタ素子のソース端子とゲート端子を接続する第一の抵抗素子と、
一方が前記Ｐｃｈ型トランジスタ素子のゲート端子に接続された第二の抵抗素子と、
前記第二の抵抗素子の一方にドレイン端子が前記コントローラの出力端子にゲート端子が接続されたＮｃｈ型トランジスタ素子と、から構成される請求項２に記載の点灯制御装置。
【請求項４】
前記整流回路に接続された点灯手段を備え、
前記発光体は前記点灯手段の出力に接続され、
前記スイッチ素子と前記平滑コンデンサとは前記発光体と前記点灯手段との間に接続されたことを特徴とする請求項１に記載の点灯制御装置。
【請求項５】
前記点灯手段は、前記整流回路に接続されたインダクタンス素子と、
前記インダクタンス素子と前記整流回路の基準点を接続したＮｃｈ型トランジスタ素子と、
前記Ｎｃｈ型トランジスタ素子とのオンオフを制御するコントローラと、
前記Ｎｃｈ型トランジスタ素子でスイッチングされた信号を整流するダイオード素子と、から構成されることを特徴とする請求項４に記載の点灯制御装置。
【請求項６】
前記発光体は前記平滑コンデンサに接続され、
前記スイッチ素子と前記平滑コンデンサとは前記整流回路と前記発光体との間に接続されたことを特徴とする請求項１記載の点灯制御装置。
【請求項７】
一対の電極ピンをそれぞれ有する口金により両端部が封止された直管の内部に、請求項１から６のいずれかに記載の点灯制御装置を備えることを特徴とする照明灯。
【請求項８】
蛍光灯安定器を備え、請求項７に記載の照明灯が取付けられることを特徴とする照明装置。
【発明の詳細な説明】
【技術分野】
【０００１】
本発明は、点灯制御装置、照明灯及び照明装置に関する。
【背景技術】
【０００２】
従来から照明灯として、蛍光灯を点灯させるインバータ安定器（灯具ともいう）にそのまま接続し、点灯動作を行うことができるものが知られている。
【０００３】
近年、フィラメント電極を有する蛍光灯に代えて消費電力の少ない発光素子として発光ダイオードＬＥＤ（Light  Emitting  Diode）を用いた照明灯が提案されている（例えば、特許文献１参照）。
特許文献１に開示の技術によれば、グロースタータ式蛍光灯用の照明器具、ラピッドスタート式蛍光灯用の照明器具に固体発光素子を有する照明灯を取り付けることができるのみならず、蛍光灯用のインバータ式の電子安定器（以下、「蛍光灯安定器」ともいう）を備えた照明器具に交換可能に固体発光素子を有する照明灯を取り付けることができる。
【０００４】
蛍光灯安定器の出力電圧は交流電圧であるため、直流電圧で点灯するＬＥＤ照明灯を接続する場合は、安定器の交流信号をダイオードブリッジで全波整流した後に平滑フィルタや平滑容量で直流電圧に変換し、点灯回路にてＬＥＤ素子に出力を供給する（例えば、特許文献２及び３参照）。
【０００５】
しかしながら、平滑コンデンサは蛍光灯安定器からみたインピーダンスを低下するため、蛍光灯安定器の種類によっては始動時に蛍光灯の劣化や安定器出力の短絡を検出するために蛍光灯安定器に備えられた保護回路が異常を検出し、出力電圧が出力されず不点灯になることがある。
【０００６】
これに対し、始動に影響がない値まで平滑フィルタのコンデンサの容量値を小さくし、その他のフィルタの構成部品の特性値を大きくすることでフィルタ全体の特性を得る方法や、フィルタ特性を犠牲に小型化させる方法等で対応していたが、前者の方法では平滑部品のその他の公正部品の大型化や損失増大を招き、後者の方法では所望の平滑を得られず回路の安定化に影響を及ぼすという問題があった。
【０００７】
特許文献２に開示された点灯回路を図７に示す。
従来の点灯回路は、ブリッジダイオードの出力を安定させるため、フィルタ部にコンデンサが接続されている。図７に示す回路ではＬＣフィルタが用いられている。
【発明の概要】
【発明が解決しようとする課題】
【０００８】
従来の点灯回路において、フィルタのカットオフ周波数に対し、容量値を大きくし、インダクタ値を小さく設定すると、インピーダンスが低下するため、安定器が異常を検出し、予熱モードに移行せずに不点灯となる。一方、フィルタのカットオフ周波数に対し、容量値を小さくし、インダクタ値を大きく設定すると、予熱モードに移行して点灯させることができる。しかしながら、インダクタ値を大きくすると、コイルの大型化を招くことや、内部抵抗の増加による損失の増大が起こるという問題がある。
【０００９】
そこで本発明は、平滑フィルタの容量に起因した不点灯を防止し、固体発光素子を用いた照明灯においても安定した点灯状態を実現可能な点灯制御装置を提供することを目的とする。
【課題を解決するための手段】
【００１０】
かかる目的を達成するため、本発明に係る点灯制御装置は、インバータ式の電子安定器に接続されて交流電流を全波整流する整流回路と、複数個の固体発光素子からなる発光体と、前記整流回路の出力側に接続され、前記整流回路から出力される電流に含まれる交流成分を除去する平滑コンデンサと、前記平滑コンデンサと接続されたスイッチ素子と、前記スイッチ素子を制御するコントローラと、前記コントローラに電圧を供給する内部電源生成手段と、を備え、前記スイッチ素子は、前記内部電源生成手段から電圧が供給される前はノーマリーオフ状態であって、前記コントローラは、前記内部電源生成手段から電圧が供給された後、一定時間経過後に前記平滑コンデンサが接続状態となるように前記スイッチ素子をオン状態にすることを特徴とする点灯制御装置である。
【発明の効果】
【００１１】
本発明によれば、平滑フィルタの容量に起因した不点灯を防止し、固体発光素子を用いた照明灯においても安定した点灯状態を実現可能な点灯制御装置を提供することができる。
【図面の簡単な説明】
【００１２】
【図１】第一の実施形態に係る点灯制御装置の回路図である。
【図２】図１に示す点灯制御装置の詳細な回路図である。
【図３】第一の実施形態に係る点灯制御装置におけるタイミングチャートである。
【図４】第二の実施形態に係る点灯制御装置の回路図である。
【図５】図４に示す点灯制御装置の詳細な回路図である。
【図６】第三の実施形態に係る点灯制御装置の回路図である。
【図７】従来の点灯回路の一例を示す図である。
【図８】照明灯を取付け可能な照明装置の一例を示す断面図である。
【図９】照明灯の外観の一例を示す正面図である。
【発明を実施するための形態】
【００１３】
以下、本発明に係る点灯制御装置、照明灯及び照明装置について、図面を参照して説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１４】
〔照明装置、照明灯〕
図８は本発明に係る照明灯を取付け可能な蛍光灯安定器を備えた照明装置の概要を示す外観図である。
図８において、１は後述する直管式の照明灯が装着される反射傘である。その反射傘１には、その延びる方向両端に、一対のソケット２が間隔を開けて設けられている。反射傘１には、商用交流電源Ｅからの電力が供給可能な蛍光灯安定器３が設けられている。
【００１５】
図８の照明装置には、図９に示す直管式の照明灯４が取り付けられる。
本実施形態の照明灯は、一対の電極ピンをそれぞれ有する口金により両端部が封止された直管の内部に、後述する点灯制御装置を備える。
【００１６】
図９に示すように、照明灯４は、直管５の両端部が一対の口金６により封止されている。それぞれの口金６には電力供給系統の一部を構成する一対の電極ピン７ａが設けられている。
蛍光灯安定器３には商用交流電源Ｅが接続されている。商用交流電源Ｅの周波数は例えば５０Ｈｚ／６０Ｈｚである。この蛍光灯安定器３の出力側は一対のソケット２に接続されている。一対のソケット２はそれぞれ一対の電極端子２ａ、２ｂを有する。この一対の電極端子２ａ、２ｂには一対の電極ピン７ａが接続される。
直管５の内部には、後述する点灯制御装置が設けられている。点灯制御装置を構成する発光体は、複数個の固体発光素子からなる。
【００１７】
〔点灯制御装置〕
本発明に係る点灯制御装置は、蛍光灯安定器に接続されて交流電流を全波整流する整流回路（ブリッジダイオード）と、複数個の固体発光素子からなる発光体と、前記整流回路の出力側に接続された平滑コンデンサと、前記平滑コンデンサと接続されたスイッチ素子と、前記スイッチ素子を制御するコントローラと、前記コントローラに電圧を供給する内部電源生成手段と、を備える。
平滑コンデンサは、平滑フィルタを構成する。
前記コントローラは、前記内部電源生成手段から電圧が供給された後、一定時間経過後に前記スイッチ素子をオン状態にする。
【００１８】
＜第一の実施形態＞
第一の実施形態に係る点灯制御装置の回路図を図１に示す。
本実施形態の点灯制御装置は、平滑コンデンサに接続された点灯回路Ｌ１０１を備え、発光体は点灯回路Ｌ１０１の出力に接続されている。
スイッチ素子ＳＷ１０１は、平滑コンデンサと整流回路との間に接続されている。
【００１９】
図１に示すように、本実施形態の点灯制御装置は、整流回路（ブリッジダイオード）ＢＤ１０１とＢＤ１０２と点灯回路Ｌ１０１と平滑フィルタＦ１０１と平滑フィルタを構成する平滑コンデンサＣ１０１と、平滑フィルタＦ１０１を構成する受動部品Ｘ１０１と、スイッチ素子ＳＷ１０１とＬＥＤ負荷ＬＥＤ１０１とコントローラＣＮＴ１０１と内部電源生成手段１０１から構成される。平滑フィルタＦ１０１は、平滑コンデンサＣ１０１のみからなる構成であってもよい。
【００２０】
スイッチ素子ＳＷ１０１を備えていない場合、商用電源がオンされても蛍光灯安定器内部の保護回路が平滑コンデンサＣ１０１の低インピーダンスを検知してしまうため、予熱モードに移行しない。
【００２１】
スイッチ素子ＳＷ１０１は、ノーマリーオフ状態となっており電気的に絶縁されている。そのため、蛍光灯安定器（以下、単に「安定器」ともいう）から見込んだ本回路の入力インピーダンスはハイインピーダンス状態となっている。
この状態は安定器に本来の蛍光灯が接続された時に商用電源オフ時に蛍光灯のインピーダンスが高い状態と同じであるため、安定器の保護回路は動作せず、商用電源オン時でも蛍光灯を接続した場合と同じように予熱モードに移行する。
【００２２】
商用電源がオンして安定器が動作し予熱モード状態になると、予熱モードでは安定器の出力端子より周波数が１０ｋＨｚ以上の交流信号が出力される。予熱モードで出力された出力電圧が整流回路にて全波整流され、内部電源生成手段Ｐ１０１を通してコントローラＣＮＴ１０１に電源電圧が供給される。
【００２３】
コントローラＣＮＴ１０１に電源電圧が供給されると、コントローラＣＮＴ１０１が動作を開始し、内蔵された内部タイマによりカウントが開始される。
内蔵タイマは設定時間を経過すると、平滑コンデンサＣ１０１に直列に接続されたスイッチ素子ＳＷ１０１をオンするように設定されているため、ＳＷ１０１がオン状態となりダイオードブリッジ後に平滑コンデンサＣ１０１が接続された状態となる。予熱モードに移行後はブリッジダイオード後に平滑コンデンサＣ１０１が接続された状態でも保護回路が働くことがないため、発光体を構成するＬＥＤ素子は安全に点灯状態を維持できる。
【００２４】
すなわち、本実施形態の点灯制御装置では、予熱モードの間はコントローラＣＮＴ１０１には電圧は供給されず、通常モードに移行して一定時間経過後にスイッチ素子ＳＷ１０１がオンされる。スイッチ素子ＳＷ１０１も、オンオフ制御の前にコントローラＣＮＴ１０１がオン状態となる必要がある。
【００２５】
点灯回路Ｌ１０１は、整流回路側にソース端子が接続され、発光体側にドレイン端子が接続されたＰｃｈ型トランジスタ素子と、Ｐｃｈ型トランジスタ素子のソース端子とゲート端子を接続する第一の抵抗素子と、一方が前記Ｐｃｈ型トランジスタ素子のゲート端子に接続された第二の抵抗素子と、第二の抵抗素子の一方にドレイン端子が前記コントローラの出力端子にゲート端子が接続されたＮｃｈ型トランジスタ素子と、から構成される。
【００２６】
図２は、図１に示す第一の実施形態に係る点灯制御装置の回路図を詳細に示したものである。
図２に示すように、本実施形態の点灯制御装置は、ブリッジダイオードＢＤ２０１と、ブリッジダイオードＢＤ２０２と、コントローラＣＮＴ２０１と、コンデンサＣ２０１とコンデンサＣ２０１に接続されたスイッチ素子Ｑ２０１と発光体（ＬＥＤ素子）ＬＥＤ２０１と、ＬＥＤ素子ＬＥＤ２０１とコンデンサＣ２０１を接続するスイッチ素子Ｑ２０２とスイッチ素子Ｑ２０２のゲート、ソース間に電位差を発生させるための抵抗素子Ｒ２０１、Ｒ２０２と、スイッチ素子Ｑ２０２のオン、オフ状態を制御するスイッチ素子Ｑ２０３と内部電源生成手段Ｐ２０１を備える。
【００２７】
安定器に商用電源が供給される前は、スイッチ素子Ｑ２０１、Ｑ２０２、Ｑ２０３はオフ状態になっている。商用電源がオンすると、安定器が動作して予熱モード状態になり、内部電源生成手段Ｐ２０１が動作し、コントローラＣＮＴ２０１に電源電圧を供給する。
電源電圧供給後、コントローラＣＮＴ２０１が動作するので、スイッチ素子Ｑ２０３のゲート信号をオン状態にする。
スイッチ素子Ｑ２０３は予熱モード期間内にオン状態にしてスイッチ素子Ｑ２０２をオン状態にさせないと点灯モードに移行せず不点灯になってしまうため、通常１秒以内にオン状態にさせる。
スイッチ素子Ｑ２０１のオンタイミングは安定器の出力状態が予熱モードに移行さえすればどのタイミングでオンしても構わないため、ユーザー側で任意に設定することができる。スイッチ素子Ｑ２０１とＱ２０３のオンタイミングはどちらが先でも構わない。
【００２８】
図３は、本実施形態の点灯制御装置のスイッチ（図２に示すスイッチ素子Ｑ２０１）をオン状態にするタイミングを説明するタイミングチャートである。
安定器が予熱モードに移行すると、内部電源生成手段によって内部電源電圧が立ち上がるため、設定時間経過後にスイッチ素子Ｑ２０１のゲート信号をオンさせる。スイッチ素子Ｑ２０１のタイミングは予熱モード中でも予熱モード後でもユーザー側で任意に設定可能である。
【００２９】
＜第二の実施形態＞
第二の実施形態に係る点灯制御装置の回路図を図４に示す。
本実施形態の点灯制御装置は、整流回路に接続された点灯手段Ｌ４０１を備え、発光体ＬＥＤ４０１は点灯手段Ｌ４０１の出力に接続され、スイッチ素子ＳＷ４０１は平滑コンデンサＣ４０１と発光体ＬＥＤ４０１との間に接続されている。
【００３０】
図４に示すように、本実施形態の点灯制御装置は、ブリッジダイオードＢＤ４０１とＢＤ４０２と点灯手段Ｌ４０１とコンデンサＣ４０１とスイッチ素子ＳＷ４０１とＬＥＤ負荷ＬＥＤ４０１とコントローラＣＮＴ４０１と内部電源生成手段４０１から構成される。
【００３１】
スイッチ素子ＳＷ４０１がない場合、点灯手段Ｌ４０１の入力と出力はＤＣ的に接続されていると、商用電源がオンされても安定器内部の保護回路が平滑コンデンサＣ４０１の低インピーダンスを検知してしまうため予熱モードに移行しない。
【００３２】
スイッチ素子ＳＷ４０１はノーマリーオフ状態となっており、電気的に絶縁されている。そのため安定器から見込んだ本回路の入力インピーダンスはハイインピーダンス状態となっている。この状態は安定器に本来の蛍光灯が接続された時に商用電源オフ時に蛍光灯のインピーダンスが高い状態と同じため安定器の保護回路は動作せず、商用電源オン時でも蛍光灯を接続した場合と同じように予熱モードに移行する。
【００３３】
商用電源がオンして安定器が動作し予熱モード状態になると、安定器の出力端子より周波数が１０ｋＨｚ以上の交流信号が出力される。予熱モードで出力された出力電圧が整流回路（ブリッジダイオード）にて全波整流され、内部電源生成手段Ｐ４０１を通してコントローラＣＮＴ４０１に電源電圧が供給される。
【００３４】
コントローラＣＮＴ４０１に電源電圧が供給されるとコントローラＣＮＴ４０１が動作を開始し、内蔵された内部タイマによりカウントが開始される。
内蔵タイマは設定時間を経過すると、平滑コンデンサＣ４０１に直列に接続されたスイッチ素子ＳＷ４０１をオンするように設定されているため、スイッチ素子ＳＷ４０１がオン状態となり発光体ＬＥＤ４０１に対して平滑コンデンサＣ４０１が接続状態となり発光体ＬＥＤ４０１の両端に印加される点灯手段の出力電圧が平滑コンデンサＣ４０１によって平滑化される。
【００３５】
点灯手段Ｌ４０１は、整流回路に接続されたインダクタンス素子Ｌ５０１と、インダクタンス素子と整流回路の基準点を接続したＮｃｈ型トランジスタ素子と、Ｎｃｈ型トランジスタ素子とのオンオフを制御するコントローラと、Ｎｃｈ型トランジスタ素子でスイッチングされた信号を整流するダイオード素子と、から構成される。
【００３６】
図５は、図４に示す第二の実施形態に係る点灯制御装置の回路図を詳細に示したものである。
図５に示すように、本実施形態の点灯制御装置は、ブリッジダイオードＢＤ５０１,ＢＤ５０２と、コントローラＣＮＴ５０１と、アクティブスイッチ（スイッチング素子の一例）Ｑ５０２、インダクタンス素子Ｌ５０１、及びダイオード素子Ｄ５０１で構成されるスイッチングコンバータと、平滑コンデンサＣ５０１と、スイッチ素子Ｑ５０１、発光体ＬＥＤ５０１と、電流センス抵抗Ｒ５０１と、を備える。
【００３７】
ブリッジダイオードＢＤ５０１，５０２は、蛍光灯安定器を介して商用電源Ｅから供給された交流信号を全波整流する。
コントローラＣＮＴ５０１は、アクティブスイッチＱ５０２のオン／オフタイミングを制御する。具体的には、コントローラＣＮＴ５０１は、アクティブスイッチＱ５０２のゲート信号を生成し、生成したゲート信号をアクティブスイッチＱ５０２に出力し、アクティブスイッチＱ５０２を駆動することで、アクティブスイッチＱ５０２のオン／オフタイミングを制御する。ここで、コントローラＣＮＴ５０１は、ブリッジダイオードＢＤ５０１，５０２により全波整流された交流信号のゼロクロスタイミングと異なるタイミングでアクティブスイッチ３３０をオンするように制御するものとする。
【００３８】
スイッチングコンバータは、ＢＤ５０１，５０２により全波整流された交流信号を直流信号に変換するコンバータであり、いわゆる、ＡＣＤＣコンバータである。
なお、本実施形態ではスイッチングコンバータは昇圧型のコンバータであり、発光体ＬＥＤ５０１に対して、インダクタンス素子Ｌ５０１及びダイオード素子Ｄ５０１が直列に接続され、アクティブスイッチＱ５０２が並列に接続されている。
【００３９】
平滑コンデンサＣ５０１は、発光体ＬＥＤ５０１に対して並列に接続されており、スイッチングコンバータから出力される直流電流に含まれる交流成分を除去する。
発光体ＬＥＤ５０１は、スイッチングコンバータと接続され、スイッチングコンバータにより変換された直流信号が出力される。
具体的には、発光体ＬＥＤ５０１は、スイッチングコンバータから直流電圧が印加され、直流電流が流れることで、発光する。
【００４０】
電流センス抵抗Ｒ５０１は、ＬＥＤ５０１に流れる電流の電流値を検出するための抵抗であり、発光体ＬＥＤ５０１に流れる電流と電流センス抵抗Ｒ５０１で発生した電圧をコントローラＣＮＴ５０１に出力する。
スイッチ素子Ｑ５０１、Ｑ５０２はノーマリーオフ状態となっており電気的に絶縁されている。そのため安定器から見込んだ本回路の入力インピーダンスはハイインピーダンス状態となっている。この状態は安定器に本来の蛍光灯が接続された時に商用電源オフ時に蛍光灯のインピーダンスが高い状態と同じため安定器の保護回路は動作しない。
【００４１】
スイッチ素子Ｑ５０１、Ｑ５０２はオフ状態で商用電源がオンすると、安定器が動作し予熱モード状態になり内部電源生成手段Ｐ５０１が動作しコントローラＣＮＴ５０１に内部電源電圧を供給する。内部電源電圧供給後、コントローラＣＮＴ５０１が動作するので、一定時間経過後スイッチ素子Ｑ５０１のゲート信号をオン状態にする。スイッチ素子Ｑ５０２は予熱モード開始後にスイッチング開始する。スイッチ素子Ｑ５０１のオンタイミングとスイッチ素子Ｑ５０２のスイッチング開始タイミングはユーザー側で任意に設定することができる。
【００４２】
＜第三の実施形態＞
第三の実施形態に係る点灯制御装置の回路図を図６に示す。
本実施形態の点灯制御装置は、発光体ＬＥＤ６０１は平滑コンデンサＣ６０１に接続され、スイッチ素子ＳＷ６０１は平滑コンデンサＣ６０１と発光体ＬＥＤ６０１との間に接続されている。
【００４３】
図６に示すように、本実施形態の点灯制御装置は、ブリッジダイオードＢＤ６０１,ＢＤ６０２と、内部電源生成手段Ｐ６０１とコントローラＣＮＴ６０１と、平滑フィルタＦ６０１と、平滑フィルタＦ６０１を構成する平滑コンデンサＣ６０１と、平滑フィルタ６０１を構成する受動部品Ｘ６０１と、スイッチ素子ＳＷ６０１と、発光体ＬＥＤ６０１と、を備える。
受動部品Ｘ６０１はＣ６０１とフィルタを構成する受動部品であるがＣ６０１のみでもよい。
【００４４】
ＳＷ６０１はノーマリーオフ状態となっており電気的に絶縁されている。ＬＥＤ素子も降下電圧Ｖｆ以上が印加されないとハイインピーダンス状態のため安定器から見込んだ本回路の入力インピーダンスはハイインピーダンス状態である。この状態は安定器に本来の蛍光灯が接続された時に商用電源オフ時に蛍光灯のインピーダンスが高い状態と同じため安定器の保護回路は動作せず商用電源オン時でも蛍光灯を接続した場合と同じように予熱モードに移行する。
【００４５】
商用電源がオンして安定器が動作し予熱モード状態になると、予熱モードでは安定器の出力端子より周波数が１０ｋＨｚ以上の交流信号が出力される。予熱モードで出力された出力電圧がブリッジダイオードにて全波整流され、内部電源生成手段を通してコントローラＣＮＴ０１に電源電圧が供給される。
【００４６】
コントローラＣＮＴ６０１に電源電圧が供給されるとコントローラＣＮＴ６０１が動作を開始し、内蔵された内部タイマによりカウントが開始される。内蔵タイマは設定時間を経過すると、コンデンサＣ６０１に直列に接続されたスイッチ素子ＳＷ６０１をオンするように設定されているため、スイッチ素子ＳＷ６０１がオン状態となりダイオードブリッジ後にＣ６０１が接続された状態となる。
【００４７】
予熱モードに移行後は、ブリッジダイオード後にコンデンサが接続された状態でも保護回路が働くことがないため、ＬＥＤ素子は安全に点灯状態を維持できる。
【００４８】
上述の第一の実施形態及び第二の実施形態の点灯制御装置においては、内部電源をダイオードブリッジ後から生成していたが、図６に示す本実施形態のように点灯したＬＥＤのＶｆ電圧から生成する方法もある。
【００４９】
また、平滑コンデンサの例について説明したが、ＬＣフィルタを用いた平滑フィルタでコンデンサに対して直列にスイッチを挿入することによっても同様の効果を得ることができる。
【００５０】
以上のように、本実施形態の点灯制御装置によれば、蛍光灯安定器の出力周波数に対し、蛍光灯安定器が容量の低インピーダンスの誤検出をした結果、照明灯が不点灯となることを回避することができる。
【符号の説明】
【００５１】
ＢＤ    ブリッジダイオード
Ｃ      平滑コンデンサ
ＣＮＴ  コントローラ
Ｆ      平滑フィルタ
ＳＷ    スイッチ素子
Ｐ      内部電源生成回路
Ｒ      抵抗素子
【先行技術文献】
【特許文献】
【００５２】
【特許文献１】特開２００８−２７７１８８号公報
【特許文献２】特開２０１０−１５７４８０号公報
【特許文献３】特開２０１４−４９２８３号公報
【図１】
0006683942.tif 000002
【図２】
0006683942.tif 000003
【図３】
0006683942.tif 000004
【図４】
0006683942.tif 000005
【図５】
0006683942.tif 000006
【図６】
0006683942.tif 000007
【図７】
0006683942.tif 000008
【図８】
0006683942.tif 000009
【図９】
0006683942.tif 000010